(57)【要約】【課題】  じょうごのような別体のものを使用することなく、確実に湯を注ぎ入れることができる安全な湯たんぽとする。【解決手段】  内部に湯を貯留することができる空洞部１１１を有する湯たんぽ本体１１０と、この湯たんぽ本体１１０に設けられた開口１１２を閉塞する蓋体１２０とを備え、開口１１２は、湯たんぽ本体１１０の一面に設けられた凹部１１３に開設されている。開口１１２は、縁部から内側に向かって延設された壁部１１４と、この壁部１１４の内側に形成された雌ネジ１１５とを有しており、蓋体１２０には前記雌ネジ１１５に対応した雄ネジ１２２が形成されている。【選択図】      図２
2011229573.tif 000002
【特許請求の範囲】
【請求項１】
内部に湯を貯留することができる空洞部を有する湯たんぽ本体と、この湯たんぽ本体に設けられた開口を閉塞する蓋体とを具備しており、前記開口は、湯たんぽ本体の一面に設けられた凹部に開設されていることを特徴とする湯たんぽ。
【請求項２】
前記凹部は、底面部に向かって下り傾斜になった傾斜面を有することを特徴とする請求項１記載の湯たんぽ。
【請求項３】
前記開口は、縁部から内側に向かって延設された壁部と、この壁部の内側に形成された雌ネジとを有しており、前記蓋体には前記雌ネジに対応した雄ネジが形成されていることを特徴とする請求項１又は２記載の湯たんぽ。
【請求項４】
前記開口は、凹部の最も凹んだ部分に形成されていることを特徴とする請求項１、２又は３記載の湯たんぽ。
【請求項５】
前記蓋体は、開口部を閉塞した状態で凹部から突出しないことを特徴とする請求項１、２、３または４記載の湯たんぽ。
【請求項６】
請求項１、２、３、４又は５記載の湯たんぽにおいて、湯たんぽ本体には、凹部が設けられた面とは異なる面に水抜き孔が開設され、この水抜き孔を閉塞する栓を有することを特徴とする湯たんぽ。
【発明の詳細な説明】
【技術分野】
【０００１】
本発明は、湯たんぽに関する。
【背景技術】
【０００２】
一般的な湯たんぽは、略平板な小判状或いは長方形状に形成された湯たんぽ本体と、この湯たんぽ本体の一面に開設された開口を閉塞する蓋体とを有している。前記開口には、縁部から外側に向かった壁部が延出され、この壁部の外面に雄ネジが形成されている。そして、蓋体には、前記雄ネジに対応する雌ネジが形成されている。蓋体を開口にネジ止めすることで湯たんぽ本体を閉塞するのである。
【０００３】
このような湯たんぽの問題点の一つとして、湯たんぽ本体に湯を注ぎ入れることが難しいという点があげられる。一般的にやかん又はポットから湯を注ぎ入れるのであるが、湯たんぽ本体の開口が小さいために湯がこぼれてしまうことがままあった。
【０００４】
湯がこぼれるという問題点を解消するためにじょうごを使用することもあったが、じょうごの安定性が悪いためこぼれてしまうこともあった。
かかる問題を解消するために安定性のよいじょうごが創案されている（特許文献１）。
【０００５】
【特許文献１】実用新案登録第３１４４３９１号
【発明の開示】
【発明が解決しようとする課題】
【０００６】
しかしながら、あくまでじょうごは湯たんぽとは別体であり、紛失してしまうこともある。
【０００７】
本発明は、上記事情に鑑みて創案されたもので、じょうごのような別体のものを使用することなく、確実に湯を注ぎ入れることができる安全な湯たんぽを提供することを目的としている。
【課題を解決するための手段】
【０００８】
本発明に係る湯たんぽは、内部に湯を貯留することができる空洞部を有する湯たんぽ本体と、この湯たんぽ本体に設けられた開口を閉塞する蓋体とを具備しており、前記開口は、湯たんぽ本体の一面に設けられた凹部に開設されている。
【０００９】
前記凹部は、底面部に向かって下り傾斜になった傾斜面を有している。
【００１０】
前記開口は、縁部から内側に向かって延設された壁部と、この壁部の内側に形成された雌ネジとを有しており、前記蓋体には前記雌ネジに対応した雄ネジが形成されている。
【００１１】
前記開口は、凹部の最も凹んだ部分に形成されている。
【００１２】
前記蓋体は、開口部を閉塞した状態で凹部から突出しないようになっている。
【００１３】
前記湯たんぽは、凹部が設けられた面とは異なる面に開設された水抜き孔と、この水抜き孔を閉塞する栓とを有している。
【図面の簡単な説明】
【００１４】
【図１】本発明の実施の形態に係る湯たんぽの概略的分解斜視図である。
【図２】本発明の実施の形態に係る湯たんぽの概略的断面図である。
【図３】本発明の他の実施の形態に係る湯たんぽの概略的断面図である。
【発明を実施するための形態】
【００１５】
本発明の実施の形態に係る湯たんぽ１００は、内部に湯を貯留することができる空洞部１１１を有する湯たんぽ本体１１０と、この湯たんぽ本体１１０に設けられた開口１１２を閉塞する蓋体１２０とを備えており、前記開口１１２は、湯たんぽ本体１１０の一面に設けられた凹部１１３に開設されている。
【００１６】
しかも、前記開口１１２は、縁部から内側に向かって延設された壁部１１４と、この壁部１１４の内側に形成された雌ネジ１１５とを有しており、前記蓋体１２０には前記雌ネジ１１５に対応した雄ネジ１２２が形成されている。
【００１７】
前記湯たんぽ本体１１０自体はポリエチレン製であり、ブロー成形によって形成されている。内部は空洞部１１１になっており、この内部に湯がため込まれるのである。
かかる湯たんぽ本体１１０は、平面視略小判状であって、一面１１７（上面）と他面１１８（下面）とは平行になっている。また、前記一面１１７には凹凸（図示省略）が形成されている。
【００１８】
前記一面１１７には、図２に示すような逆円錐台状の凹部１１３が形成されている。この凹部１１３の傾斜面１１９は、凹部１１３の最も凹んだ部分である底面部１１６に向かって下り傾斜になっている。前記底面部１１６には、円形の開口１１２が開設されている。この開口１１２の縁部からは湯たんぽ本体１１０の内側に向かって壁部１１４が延設されている。この壁部１１４の内側には雄ネジ１１５が形成されている。
【００１９】
かかる凹部１１３に注がれた湯は、すべて開口１１２から湯たんぽ本体１１０の内部の空洞部１１１に注ぎ込まれる。特に、開口１１２の真上から湯を直接注がなくても、とりあえず凹部１１３に湯を注げばよいので、じょうご等の別部材を使用しなくても安全確実に湯を注ぎ入れることができる。
【００２０】
一方、蓋体１２０は、前記雌ネジ１１５に対応した雄ネジ１２２が形成された脚部１２１と、この脚部１２１より径大でかつ凹部１１３の底面部１１６より小径のつまみ部１２３とが一体に形成されたものである。この蓋体１２０の脚部１２１を開口１１２にネジ込むことで湯たんぽ本体１１０は完全に閉塞されるのである。なお、図示は省略しているが、より確実に密閉するために、蓋体１２０の脚部１２１の根元側にパッキンを設けている。
【００２１】
この蓋体１２０のつまみ部１２３の高さ寸法は、凹部１１３の深さ寸法より小さく設定されている。このため、開口１１２を蓋体１２０で閉塞した状態、すなわち湯たんぽ１００の使用状態において、蓋体１２０が湯たんぽ本体１１０から突出することがないので、使用時に蓋体１２０に足等が触れることによる違和感は皆無となっている。
この蓋体１２０のつまみ部１２３の側面側には開閉時に指が滑られないようにローレットが形成されている。また、つまみ部１２３の頭頂部にコインが嵌まるようなマイナス形或いはプラス形の溝を形成しておいてもよい。
【００２２】
また、この湯たんぽ本体１１０では、凹部１１３が設けられた一面１１７とは異なる面である側面１１９に水抜き孔１３０が開設されている。この水抜き孔１３０は外側にスリーブ１３１を突出させることで構成されている。かかるスリーブ１３１の内側には雌ネジ１３２が形成されている。一方、この水抜き孔１３０を閉塞する栓１４０には前記雌ネジ１３２に対応する雄ネジ１４２が形成されている。雄ネジ１４２は栓１４０の脚部１４１に形成されている。また、脚部１４１と一体に形成されたつまみ部１４３には滑り止めのローレットが形成されている。
また、つまみ部１４３の頭頂部にコインが嵌まるようなマイナス形或いはプラス形の溝を形成しておいてもよい。
【００２３】
このように構成された湯たんぽ本体１１０に湯を注ぎ入れるには、蓋体１２０を外して開口１１２を開放し、凹部１１３に湯を注ぎ入れるだけでよい。凹部１１３がじょうごと同じ機能を果たすため、安全確実に湯を注ぎ入れることができる。
【００２４】
また、湯たんぽ本体１１０から湯を抜く場合には、水抜き孔１３０から栓１４０を外して開放して行う。
なお、開口１１２から湯を抜こうとしても、逆に凹部１１３が盛り上がりとなって、開口１１２が富士山状に盛り上がった部分の頂上に位置するため、完全に抜くことは困難である。
しかし、水抜き孔１３０から抜くのであれば、そのような問題は生じない。
【００２５】
上述した実施の形態では、凹部１１３は逆円錐台状に形成されているとしたが、図３に示すように傾斜面１１９が一方に偏ったタイプの湯たんぽ本体１１０もある。このように傾斜面１１９が一方に偏ったタイプのものであれば、湯を注ぐことができる箇所が大きくなるので、湯を注ぐ際の安全性をより高くすることができる。
【００２６】
また、蓋体１２０の脚部１２１には、開口１１２の壁部１１４の雌ネジ１１５と対応した雄ネジ１２２が形成されているとしたが、雄ネジ１２２及び雌ネジ１１５を設けることなく、単に開口に圧入するタイプの蓋体とすることも可能である。
【００２７】
さらに、湯たんぽ本体１１０は、上記実施の形態のようにポリエチレンではなく、亜鉛めっき鋼板（いわゆるトタン板）やステンレス鋼板で形成してもよい。
上記実施の形態では、湯たんぽ本体１１０をポリエチレンのブロー成形で形成したとしたが、インジェクション成形で形成することも可能である。
【００２８】
また、上述した実施の形態では、凹部１１３は湯たんぽ本体１１０と一体に形成したが、凹部１１３に相当する部分のみ別体として形成し、凹部１１３に相当する部分を形成していない湯たんぽ本体に凹部１１３に相当する部分を嵌め込むことで構成することも可能である。
【００２９】
さらに、上記実施の形態では、湯たんぽ本体１１０は、平面視略小判状としたが他の形状であってもよいことはいうまでもない。
【符号の説明】
【００３０】
１００    湯たんぽ
１１０    湯たんぽ本体
１１１    空洞部
１１２    開口
１１３    凹部
１１４    壁部
１１５    雌ネジ
１１６    底面部
１２０    蓋体
１２２    雄ネジ
【図１】
2011229573.tif 000003
【図２】
2011229573.tif 000004
【図３】
2011229573.tif 000005